(57)【特許請求の範囲】
【請求項１】
コンピュータで切替手段を介して複数のビデオ装置の動作を制御すると共に、前記複数のビデオ装置からの映像／音声信号を選択手段により選択して表示手段へ出力するＶＴＲコントロールシステムにおいて、
前記複数のビデオ装置の動作である記録、再生、早送り、巻き戻し、一時停止及び停止を制御する動作制御手段と、
ユーザのボタン操作によりオン／オフを切り換えるＡ／Ｖセレクト指定部と、
前記Ａ／Ｖセレクト指定部のオン時においては、第一のビデオ装置の映像／音声信号を出力している状態で前記動作制御手段により前記第一のビデオ装置以外の他のビデオ装置の動作が制御された場合、制御された前記他のビデオ装置の映像／音声信号を前記選択手段を通じて前記表示手段へ出力すると共に、前記Ａ／Ｖセレクト指定部のオフ時においては、前記第一のビデオ装置の映像／音声信号を出力している状態で前記動作制御手段により前記第一のビデオ装置以外の前記他のビデオ装置の動作が制御された場合、前記第一のビデオ装置の映像／音声信号の出力を継続しつつ、前記動作制御手段による前記他のビデオ装置の動作の制御を行う自動映像／音声選択指定手段と
を具備することを特徴とするＶＴＲコントロールシステム。
【請求項２】
前記動作制御手段によって制御される前記複数のビデオ装置の各動作を選択する操作パネルと、
前記操作パネルに対して前記選択手段が行う前記映像／音声信号の選択動作が優先されるように制御する選択制御手段と
を具備することを特徴とする請求項１記載のＶＴＲコントロールシステム。
【請求項３】
前記コンピュータに、前記動作制御手段、前記自動映像／音声選択指定手段、及び前記選択制御手段が行う各制御の実行をクリック操作で指示できる前記操作パネルを、前記複数のビデオ装置に対応した数、前記コンピュータ画面に表示する操作画面表示制御手段を
備えたことを特徴とする請求項２記載のＶＴＲコントロールシステム。
【請求項４】
前記コンピュータと前記切替手段とが、ＲＳ−２３２Ｃ通信制御線で接続されていることを特徴とする請求項１記載のＶＴＲコントロールシステム。
【発明の詳細な説明】
【０００１】
【発明の属する技術分野】
本発明はＶＴＲコントロールシステムに関し、特に複数のビデオ装置｛ＶＴＲ(Video Tape Recorder) ｝をコンピュータによる集中コントロールによって一元的に管理し、そのＶＴＲの走行と映像／音声の選択を行ってモニタへ出力するＶＴＲコントロールシステムに関する。
【０００２】
【従来の技術】
従来、上述したような複数のＶＴＲをコンピュータによる集中コントロールによって一元的に管理し、ＶＴＲの早送り等の走行と映像／音声の選択を行ってモニタへ出力するＶＴＲコントロールシステムがある。
【０００３】
同時に、１台のＶＴＲしか制御できないシステムでは、ＶＴＲをコントロールする際に、映像／音声の切替は自動的には行われず、コントロールをする前にＶＴＲの選択を行い、そのときに同時に映像／音声がスイッチされるようになっている。
【０００４】
この他、ＶＴＲのコントロールと映像／音声の選択に全く関連が無く、双方の切替をそれぞれ行なうシステムもあった。また、複数のＶＴＲを並列してコントロールするような操作パネルなどの操作性を持つシステムでは、コントロールしたＶＴＲと、モニタへ出力する映像／音声を自動的に切り替えるものはなかった。
【０００５】
このような不便を解消するため、コントロールを行なうＶＴＲに従って映像／音声を同時に切り替えるシステムが考えられる。
このようなＶＴＲコントロールシステムにおいて、映像／音声セレクタによって、ある特定のＶＴＲからの映像／音声信号を選択してモニタへ出力しておき、この時、別のＶＴＲの走行のコントロールを実行する場合を図５を参照して説明する。図５は従来のＶＴＲコントロールシステムの動作を説明するためのフローチャートである。
〔Ｓ１〕映像／音声セレクタによって、ＶＴＲからモニタへ出力したい映像／音声信号のチャンネルを選択する。
〔Ｓ２〕次に、他のＶＴＲの走行をコントロールする。
〔Ｓ３〕このコントロールによって、現在モニタで実行されている映像／音声が、自動的にＳ２のコントロールされたＶＴＲの走行に依存する内容に切り替えられる。
〔Ｓ４〕従って、Ｓ１での希望する映像／音声のチャンネルを選択し直す。
【０００６】
次に、常にＶＴＲのコントロールと、映像／音声の切替が関連なく独立にしか行なえない場合に両者を一致させたい場合を図６を参照して説明する。図６は従来の他のＶＴＲコントロールシステムの動作を説明するためのフローチャートである。
〔Ｓ５〕あるＶＴＲの走行をコントロールする。
〔Ｓ６〕映像／音声セレクタで、走行をコントロールしたＶＴＲのつながっているチャンネルを選択し、この選択されたチャンネルの映像／音声信号をモニタへ出力する。
【０００７】
【発明が解決しようとする課題】
しかし、上記従来のＶＴＲコントロールシステムにおいて、図５のフローチャートを参照して説明したシステムでは、映像／音声セレクタで、ある特定のＶＴＲからの映像／音声信号を選択しておきたい場合に、別のＶＴＲのコントロールを実行すると、同時に自動的に映像／音声セレクタの選択チャンネルが切り替えられてしまうため、この後、再び希望するチャンネルに戻す操作が必要となり、操作手順が多くなるという問題があった。
【０００８】
また、ＶＴＲの走行コントロールと映像／音声の切替を独立で行なうことができない問題があった。
図６のフローチャートを参照して説明したシステムでは、ＶＴＲの走行をコントロールした後、操作者が映像／音声セレクタによって、所望のＶＴＲからの映像／音声信号を選択しなければならないので、操作手順が多くなるという問題があった。
【０００９】
本発明は、簡単な操作で、特定のＶＴＲからの映像／音声信号を選択してモニタ表示させ、この時、モニタ表示をそのままで別のＶＴＲの走行等のコントロールを実行することができるＶＴＲコントロールシステムを提供することを目的とする。
【００１０】
【課題を解決するための手段】
本発明は、コンピュータで切替手段を介して複数のビデオ装置の動作を制御すると共に、複数のビデオ装置からの映像／音声信号を選択手段により選択して表示手段へ出力するＶＴＲコントロールシステムにおいて、複数のビデオ装置の動作である記録、再生、早送り、巻き戻し、一時停止及び停止を制御する動作制御手段と、ユーザのボタン操作によりオン／オフを切り換えるＡ／Ｖセレクト指定部と、Ａ／Ｖセレクト指定部のオン時においては、第一のビデオ装置の映像／音声信号を出力している状態で動作制御手段により第一のビデオ装置以外の他のビデオ装置の動作が制御された場合、制御された他のビデオ装置の映像／音声信号を選択手段を通じて表示手段へ出力すると共に、Ａ／Ｖセレクト指定部のオフ時においては、第一のビデオ装置の映像／音声信号を出力している状態で動作制御手段により第一のビデオ装置以外の他のビデオ装置の動作が制御された場合、第一のビデオ装置の映像／音声信号の出力を継続しつつ、動作制御手段による他のビデオ装置の動作の制御を行う自動映像／音声選択指定手段とを具備することを特徴とするＶＴＲコントロールシステムが提供される。
【００１１】
ここで、自動映像／音声選択指定手段がオン時に、動作制御手段により所定のビデオ装置の動作が制御された場合、その制御されたビデオ装置の映像／音声信号が前記選択手段で選択されて表示手段へ出力され、オフ時に、動作制御手段により所定のビデオ装置の動作が制御されても、この時、表示手段に実行されている映像／音声が変わることなく、動作制御手段による他のビデオ装置の制御が行われる。
【００１２】
【発明の実施の形態】
以下、本発明の実施の形態を図面を参照して説明する。図１は本発明の原理図である。
【００１３】
この図１に示すＶＴＲコントロールシステムは、コンピュータ１０で切替手段２０を介して複数のビデオ装置３１〜３８の動作を制御すると共に、複数のビデオ装置３１〜３８からの映像／音声信号を選択手段４０により選択して表示手段５０へ出力するものである。
【００１４】
その特徴は、コンピュータ１０に、複数のビデオ装置の動作を制御する動作制御手段１０１と、オン時に、動作制御手段１０１により所定のビデオ装置の動作が制御された場合、その制御されたビデオ装置の映像／音声信号が選択手段４０で選択されて表示手段５０へ出力されるようにし、オフ時に、動作制御手段により所定のビデオ装置の動作が制御されても、この時、表示手段５０に実行されている映像／音声を変えることなく、動作制御手段１０１による他のビデオ装置の制御が行えるようにする自動映像／音声選択指定手段１０２とを具備した点にある。
【００１５】
この他、コンピュータ１０は、選択手段４０が行う映像／音声信号の選択動作が優先されるように制御する選択制御手段１０３と、動作制御手段１０１、自動映像／音声選択指定手段１０２、及び選択制御手段１０３が行う各制御の実行をクリック操作で指示できる操作パネルを、複数のビデオ装置３１〜３８に対応した数、コンピュータ１０の画面に表示する操作画面表示制御手段１０４を具備した点にある。
【００１６】
図２は本発明の実施の形態によるＶＴＲコントロールシステムのブロック図である。但し、この図２に示す実施の形態において図１に示した原理図の各部に対応する部分には同一符号を付す。
【００１７】
図２に示すＶＴＲコントロールシステムは、コンピュータ１０と、切替器２０と、８台のＶＴＲ(Video Tape Recorder) ３１〜３８と、Ａ／Ｖ(Audio/Video) セレクタ４０と、テレビモニタ５０とを備えて構成されており、１台のコンピュータ１０で切替器２０を介して８台のＶＴＲ３１〜３８を制御すると共に、Ａ／Ｖセレクタ４０によるＶＴＲ３１〜３８からの映像／音声信号の選択を制御し、この選択された映像／音声信号をテレビモニタ５０へ出力するものである。
【００１８】
コンピュータ１０と切替器２０とはシリアル信号が伝送される１本のＲＳ−２３２Ｃ通信制御線１１により接続され、切替器２０のＶＴＲ切替用の８つの出力端子２３２Ｃ−１〜２３２Ｃ−８と８台のＶＴＲ３１〜３８とは、８本のＲＳ−２３２Ｃ通信制御線２１〜２８により接続されている。
【００１９】
また、各ＶＴＲ３１〜３８と、Ａ／Ｖセレクタ４０の入力端子ＩＮＰＵＴ１〜ＩＮＰＵＴ８とは、映像／音声信号が伝送されるケーブル４１〜４８で接続され、Ａ／Ｖセレクタ４０の出力端子ＯＵＴＰＵＴとテレビモニタ５０もケーブル５１で接続されている。
【００２０】
更に、切替器２０において、コンピュータ１０からの１つの映像／音声切替信号が８つにＳ／Ｐ(Serial/Parallel) 変換された信号が出力される出力端子ＳＥＬ１〜ＳＥＬ８と、Ａ／Ｖセレクタ４０のスイッチコントロール部４９とは、コントロール線６１〜６８により接続されている。
【００２１】
次に、図３にコンピュータ１０に表示されるＶＴＲ操作画面７０の構成図を示し、その説明を行う。
このＶＴＲ操作画面７０は、図示せぬキーボード操作に応じて起動される操作画面表示制御手段１０４によってコンピュータ１０の画面に表示される。
【００２２】
ＶＴＲ操作画面７０は、操作対象となるＶＴＲ３１〜３８に対応する操作パネル７１〜７８が表示されている。各操作パネル７１〜７８は、各々同一構成となっており、ＶＴＲ３１を操作する操作パネル７１を代表して説明するように、現在タイムコード表示部８１と、サーチさせたいタイムコード指定部８２と、ＶＴＲ走行コントロール部８３とを備えている。
【００２３】
従って、コンピュータ１０に接続されている各ＶＴＲ３１〜３８に対して、各々に対応する操作パネル７１〜７８上のボタンを押すことにより、記録、再生、早送り、巻き戻し、一時停止、停止等のコントロールを実行することができる。
【００２４】
また、ＶＴＲ操作画面７０は、Ａ／Ｖセレクタ４０のみをコントロールするためのＡ／Ｖセレクタ制御スイッチ８４と、全てのＶＴＲ３１〜３８を同時に再生状態にするオールプレイボタン（ＡＬＬＰＬＡＹ）８５と、全てのＶＴＲ３１〜３８を同時に停止状態にするオールストップボタン（ＡＬＬＳＴＯＰ）８６と、後述するオートＡ／Ｖセレクト指定部（ＡｕｔｏＡ／ＶＳｅｌｅｃｔ）８７とを備えている。
【００２５】
但し、ＶＴＲ操作画面７０の各部はマウスでクリックして操作されるようになっている。また、現在タイムコード表示部８１、タイムコード指定部８２、ＶＴＲ走行コントロール部８３、オールプレイボタン８５、及びオールストップボタン８６は、動作制御手段１０１と連携され、オートＡ／Ｖセレクト指定部８７は自動映像／音声選択指定手段１０２に連携され、Ａ／Ｖセレクタ制御スイッチ８４は選択制御手段１０３に連携されている。
【００２６】
オートＡ／Ｖセレクト指定部８７による動作を図４を参照して説明する。但し、図４は、図３に示すコンピュータ１０に表示されたＶＴＲ操作画面７０のオートＡ／Ｖセレクト指定部８７の機能動作を説明するためのフローチャートである。
〔Ｓ７〕ＶＴＲ走行コントロール部８３におけるボタンが操作されたとする。
〔Ｓ８〕ここで、自動映像／音声選択、即ちオートＡ／Ｖセレクト指定部８７がオンか、オフかが判断される。
〔Ｓ９〕オートＡ／Ｖセレクト指定部８７がオンの場合は、ＶＴＲ走行コントロール部８３でのボタン操作と同時に、Ａ／Ｖセレクタ４０の制御も行われ、ボタン操作されたＶＴＲ（例えば３１）の映像／音声信号がＡ／Ｖセレクタ４０で選択され、テレビモニタ５０へ出力される。
〔Ｓ１０〕一方、オートＡ／Ｖセレクト指定部８７がオフの場合は、ＶＴＲ３１の走行コントロールが行われても、Ａ／Ｖセレクタ４０のコントロールは行われないため、テレビモニタ５０へ出力される映像／音声信号は、ＶＴＲ走行コントロール部８３のボタン操作時には変化せず、ボタン操作前にＡ／Ｖセレクタ４０で選択されたＶＴＲ（例えば３２）からの映像／音声信号を出力し続ける。
【００２７】
オートＡ／Ｖセレクト指定部８７によって、このような指定が行なえるため、以下のような特別な使用方法が可能になる。
（１）通常は、オートＡ／Ｖセレクト指定部８７をオンにしておく。この場合に、各ＶＴＲ３１〜３８における希望する映像の位置を、操作パネル７１〜７８上のボタンを操作して検索する。
（２）次に、オートＡ／Ｖセレクト指定部８７をオフにする。この後、上記（１）で、検索したテープの位置に全てのＶＴＲ３１〜３８に対して、「ＧＯＴＯ」サーチ機能で頭出しをする。
（３）オールプレイボタン８５で、全てのＶＴＲ３１〜３８を同時に走行させる。この走行中に希望のチャンネルを、Ａ／Ｖセレクタ制御スイッチ８４を押して切り替える。例えばＶＴＲ３１に切り替えられたとする。
（４）この他に、あるＶＴＲを別のタイムロードにサーチさせておく。即ち、テレビモニタ５０に現在表示されていないＶＴＲ３２〜３８を、「ＧＯＴＯ」サーチ機能である別のタイムコード位置に頭出しを行なう
この時、オートＡ／Ｖセレクト指定部８７がオフとなっているので、頭出し操作を行なっても、Ａ／Ｖセレクタ４０が現在選択しているチャンネルには影響することなく、即ち、現在のテレビモニタ５０の表示画面をそのままの状態にして、見えていないところでサーチ動作を行なうことが可能になる。
【００２８】
更に、例えば指定時間に指定ＶＴＲの指定位置を再生するような、自動番組送出装置に応用することが可能であるが、自動送出の準備の段階で送出したい位置を捜すためには、オートＡ／Ｖセレクト指定部８７をオンの状態にして、自動送出中は、オートＡ／Ｖセレクト指定部８７がオフの状態の制御方式に切り替えることが考えられる。
【００２９】
自動送出中は次の番組が収められているＶＴＲは、切替の直前にテープの頭出しなどを行なう必要があるが、そのときに送出されている映像／音声が切り替えられてしまうと困るので、このような場合は、オートＡ／Ｖセレクト指定部８７をオン状態にしてサーチを行なえばよい。
【００３０】
以上説明した実施の形態によれば、コンピュータ１０のＶＴＲ操作画面７０に設けたオートＡ／Ｖセレクト指定部８７がオンの場合は、ＶＴＲコントロール操作されたＶＴＲの映像／音声信号がＡ／Ｖセレクタ４０で選択されてテレビモニタ５０へ出力されるようにし、オフの場合は、ＶＴＲコントロール操作が行われても、この時、Ａ／Ｖセレクタ４０で選択され、テレビモニタ５０上に実行されている映像／音声が変化せず、ＶＴＲコントロール操作に応じたコントロールを他のＶＴＲに対して行えるようにしたので、簡単な操作で、特定のＶＴＲからの映像／音声信号を選択してモニタ表示させ、この時、モニタ表示をそのままで別のＶＴＲの走行等のコントロールを実行することができる。
【００３１】
従って、簡単なシステムでも、簡易マルチロールの映像／音声のスイッチングを行なうことが可能になる。
また、上述の（１）〜（４）で説明した特別な操作においては、従来例で図５を参照して説明したようなシステムでは、（１）の作業は行なえるが（３）〜〈４）では、コントロール操作したＶＴＲの映像がテレビモニタ５０に出てしまい、意図した映像／音声信号のセレクトができない。
【００３２】
また、図６を参照して説明したようなシステムでは、（１）の作業を行っている際に、選択したＶＴＲに従ってＡ／Ｖセレクタ４０のチャンネルも操作者が指定しなければならないため、ＶＴＲの数が増えて来るほど手間がかかり、迅速な操作ができなくなる。
【００３３】
このような従来システムと本実施の形態のシステムとを比較すると、本実施の形態のシステムでは、（１）〜（４）までの操作が効率的に行えることが分かる。
【００３４】
また、本実施の形態では、ＶＴＲの集中コントローラとしてコンピュータ１０を適用しているが、同様な操作パネル７１〜７８を持つコンピュータ１０以外の機器についても、オートＡ／Ｖセレクト指定部８７を搭載することで、本実施の形態同様の機能を実現することが可能である。
【００３５】
更に、ＶＴＲのコントロールとＡ／Ｖセレクタ４０が一体化された装置においていも、同様にオートＡ／Ｖセレクト指定部８７を用意することで、本実施の形態同様の機能を実現することが可能である。
【００３６】
【発明の効果】
以上説明したように本発明のＶＴＲコントロールシステムは、複数のビデオ装置を一元的に制御するコンピュータに自動映像／音声選択指定手段を設け、オン時に、動作制御手段により所定のビデオ装置の動作が制御された場合、その制御されたビデオ装置の映像／音声信号が前記選択手段で選択されて表示手段へ出力され、オフ時に、ビデオ装置の動作が制御されても、この時、表示手段に実行されている映像／音声が変わることなく、他のビデオ装置の制御が行われるように構成した。
【００３７】
従って、簡単な操作で、特定のＶＴＲからの映像／音声信号を選択してモニタ表示させ、この時、モニタ表示をそのままで別のＶＴＲの走行等のコントロールを実行することができる。
【図面の簡単な説明】
【図１】本発明の原理図である。
【図２】本発明の実施の形態によるＶＴＲコントロールシステムのブロック図である。
【図３】コンピュータに表示されるＶＴＲ操作画面の構成図である。
【図４】図２に示すコンピュータに表示されたＶＴＲ操作画面のオートＡ／Ｖセレクト指定部の機能動作を説明するためのフローチャートである。
【図５】従来のＶＴＲコントロールシステムの動作を説明するためのフローチャートである。
【図６】従来の他のＶＴＲコントロールシステムの動作を説明するためのフローチャートである。
【符号の説明】
１０…コンピュータ、２０…切替手段、３１〜３８…ビデオ装置、４０…選択手段、５０…表示手段、１０１…動作制御手段、１０２…自動映像／音声選択指定手段、１０３…選択制御手段。
【図１】
0004088994.tif 000002
【図２】
0004088994.tif 000003
【図３】
0004088994.tif 000004
【図４】
0004088994.tif 000005
【図５】
0004088994.tif 000006
【図６】
0004088994.tif 000007